(57)【要約】      （修正有）【課題】従来の布製からなるワッペンの裏面に、衣服等の被係着物への係着を容易に行うことができる係着具を設けた着脱式ワッペン及びその製造方法を提供する。【解決手段】表面に表示内容が表示された表示基布４と、フィルム１２と、板状体６と、板状体６の裏面に設けられ、被係着物と係着する係着具８とを含んでなり、表示基布４の裏面とフィルム１２の表面とが熱可塑性樹脂を含む接着層１０を介して接着され、フィルム１２の裏面と板状体６の表面とが接着剤１４で接着された着脱式ワッペンである。【選択図】図２
2004216884.tif 000002
【特許請求の範囲】
【請求項１】
表面に表示内容が表示された表示基布と、
板状体と
を含んで成り、
前記板状体の一部に、被係着物に係着するための線状物を通す貫通孔を備える突出部が形成され、
前記表示基布の裏面と前記板状体の表面とが両面接着テープで接着された
ことを特徴とする着脱式ワッペン。
【請求項２】
表面に表示内容が表示された表示基布と、
該表示基布の裏面に縫い付けられ、被係着物と係着する係着部と、
板状体と
を含んで成り、
前記表示基布の裏面と前記板状体の表面とが両面接着テープで接着された
ことを特徴とする着脱式ワッペン。
【請求項３】
表面に表示内容が表示された表示基布と、
板状体と、
該板状体の裏面に設けられ、被係着物と係着する係着具と
を含んで成り、
前記表示基布の裏面と前記板状体の表面とが両面接着テープで接着された
ことを特徴とする着脱式ワッペン。
【請求項４】
表面に表示内容が表示された表示基布と、
フィルムと、
板状体と
を含んで成り、
前記板状体の一部に、被係着物に係着するための線状物を通す貫通孔を備える突出部が形成され、
前記表示基布の裏面と前記フィルムの表面とが熱可塑性樹脂を含む接着層を介して接着され、
前記フィルムの裏面と前記板状体の表面とが接着された
ことを特徴とする着脱式ワッペン。
【請求項５】
表面に表示内容が表示された表示基布と、
該表示基布の裏面に縫い付けられ、被係着物と係着する係着部と、
フィルムと、
板状体と
を含んで成り、
前記表示基布の裏面と前記フィルムの表面とが熱可塑性樹脂を含む接着層を介して接着され、
前記フィルムの裏面と前記板状体の表面とが接着された
ことを特徴とする着脱式ワッペン。
【請求項６】
表面に表示内容が表示された表示基布と、
フィルムと、
板状体と、
該板状体の裏面に設けられ、被係着物と係着する係着具と
を含んでなり、
前記表示基布の裏面と前記フィルムの表面とが熱可塑性樹脂を含む接着層を介して接着され、
前記フィルムの裏面と前記板状体の表面とが接着された
ことを特徴とする着脱式ワッペン。
【請求項７】
表面に表示内容が表示された表示基布と、
フィルムと、
不透明シートと、
板状体と
を含んで成り、
前記板状体の一部に、被係着物に係着するための線状物を通す貫通孔を備える突出部が形成され、
前記表示基布の裏面と前記フィルムの表面とが熱可塑性樹脂を含む接着層を介して接着され、
前記フィルムの裏面と前記不透明シートの表面とが接着され、
前記不透明シートの裏面と前記板状体の表面とが接着された
ことを特徴とする着脱式ワッペン。
【請求項８】
表面に表示内容が表示された表示基布と、
該表示基布の裏面に縫い付けられ、被係着物と係着する係着部と、
フィルムと、
不透明シートと、
板状体と
を含んで成り、
前記表示基布の裏面と前記フィルムの表面とが熱可塑性樹脂を含む接着層を介して接着され、
前記フィルムの裏面と前記不透明シートの表面とが接着され、
前記不透明シートの裏面と前記板状体の表面とが接着された
ことを特徴とする着脱式ワッペン。
【請求項９】
表面に表示内容が表示された表示基布と、
フィルムと、
不透明シートと、
板状体と、
該板状体の裏面に設けられ、被係着物と係着する係着具と
を含んでなり、
前記表示基布の裏面と前記フィルムの表面とが熱可塑性樹脂を含む接着層を介して接着され、
前記フィルムの裏面と前記不透明シートの表面とが接着され、
前記不透明シートの裏面と前記板状体の表面とが接着された
ことを特徴とする着脱式ワッペン。
【請求項１０】
前記板状体の裏面に、前記係着具が設けられたことを特徴とする請求項１、２、４、５、７、８のいずれかに記載の着脱式ワッペン。
【請求項１１】
前記表示基布の表面に、表示内容が刺繍により表示されたことを特徴とする請求項１乃至１０のいずれかに記載の着脱式ワッペン。
【請求項１２】
表面に表示内容が表示された表示基布の裏面に、表面に熱可塑性樹脂を含む接着剤が塗布されたフィルムの表面を面接させ、該フィルムを加熱融着させる工程と、
該フィルムの裏面に板状体を接着剤を介して貼着する工程と
を含むことを特徴とする、請求項４乃至６のいずれかに記載の着脱式ワッペンの製造方法。
【請求項１３】
表面に表示内容が表示された表示基布の裏面に、熱可塑性樹脂を含む接着剤が塗布されたフィルムの表面を面接させ、該フィルムを加熱融着させる工程と、
該フィルムの裏面に不透明シートの表面を相対させて該不透明シートを貼着する工程と、
該不透明シートの裏面に板状体を接着剤を介して貼着する工程と
を含むことを特徴とする、請求項７乃至９のいずれかに記載の着脱式ワッペンの製造方法。
【発明の詳細な説明】
【技術分野】
【０００１】
本発明は、刺繍等が施された布地からなるワッペンであって、衣服等への着脱を容易に行うことを可能とした着脱式ワッペン及びその製造方法に関するものである。
【背景技術】
【０００２】
従来、氏名や名称、所属、シンボルマーク等の表示を刺繍により表現した布製のワッペンは、衣服等の所定の箇所に直接縫付けるか、或いはワッペンの裏面に熱可塑性合成樹脂接着剤層を設け、家庭用アイロン等により加熱融着される（例えば、特許文献１及び２参照。）。しかし、ワッペンを衣服等に縫付けた場合には、別の箇所への付け替えを行う際に手間が掛かる。一方、加熱融着を行った場合には、一旦、衣服等から剥がしてしまうと別の箇所への貼着は不可能となる。
【０００３】
これに対処する方法としては、ワッペンの裏側に接着層を介して係着具を貼着した着脱式ワッペンが考えられる。しかし、布地に刺繍が施されたワッペンは、刺繍糸が布地の裏面に貫通しており、係着具を貼着するための接着剤がワッペンの表面に滲み出て、ワッペンの表面に染みが生じるという問題がある。
【０００４】
【特許文献１】特開２００１−７１６９３号公報
【特許文献２】特開２００２−１０５８７６号公報
【発明の開示】
【発明が解決しようとする課題】
【０００５】
本発明は、これらに鑑み、衣服等への着脱を容易に行うことを可能とした着脱式ワッペン及びその製造方法を提供しようとする。
【課題を解決するための手段】
【０００６】
本発明の発明者は、上記の問題を解決するために鋭意検討し、従来の布製からなるワッペンの裏面或いは上部に、衣服等の被係着物への係着を容易に行うことができる係着具や係着部を設けた着脱式ワッペン及びその製造方法を見出した。
【０００７】
即ち、本発明の要旨とするところは、表面に表示内容が表示された表示基布と、板状体とを含んで成り、前記板状体の一部に、被係着物に係着するための線状物を通す貫通孔を備える突出部が形成され、前記表示基布の裏面と前記板状体の表面とが両面接着テープで接着された着脱式ワッペンである。ここで、本発明に係る「両面接着テープ」とは、テープ基材の両面に接着剤が予め塗布されているテープを意味する。
【０００８】
また、表面に表示内容が表示された表示基布と、該表示基布の裏面に縫い付けられ、被係着物と係着する係着部と、板状体とを含んで成り、前記表示基布の裏面と前記板状体の表面とが両面接着テープで接着された着脱式ワッペンである。
【０００９】
更に、表面に表示内容が表示された表示基布と、板状体と、該板状体の裏面に設けられ、被係着物と係着する係着具とを含んで成り、前記表示基布の裏面と前記板状体の表面とが両面接着テープで接着された着脱式ワッペンである。
【００１０】
本発明の他の要旨とするところは、表面に表示内容が表示された表示基布と、フィルムと、板状体とを含んで成り、前記板状体の一部に、被係着物に係着するための線状物を通す貫通孔を備える突出部が形成され、前記表示基布の裏面と前記フィルムの表面とが熱可塑性樹脂を含む接着層を介して接着され、前記フィルムの裏面と前記板状体の表面とが接着された着脱式ワッペンである。
【００１１】
また、表面に表示内容が表示された表示基布と、該表示基布の裏面に縫い付けられ、被係着物と係着する係着部と、フィルムと、板状体とを含んで成り、前記表示基布の裏面と前記フィルムの表面とが熱可塑性樹脂を含む接着層を介して接着され、前記フィルムの裏面と前記板状体の表面とが接着された着脱式ワッペンである。
【００１２】
更に、表面に表示内容が表示された表示基布と、フィルムと、板状体と、該板状体の裏面に設けられ、被係着物と係着する係着具とを含んでなり、前記表示基布の裏面と前記フィルムの表面とが熱可塑性樹脂を含む接着層を介して接着され、前記フィルムの裏面と前記板状体の表面とが接着された着脱式ワッペンである。
【００１３】
また、本発明の他の要旨とするところは、表面に表示内容が表示された表示基布と、フィルムと、不透明シートと、板状体とを含んで成り、前記板状体の一部に、被係着物に係着するための線状物を通す貫通孔を備える突出部が形成され、前記表示基布の裏面と前記フィルムの表面とが熱可塑性樹脂を含む接着層を介して接着され、前記フィルムの裏面と前記不透明シートの表面とが接着され、前記不透明シートの裏面と前記板状体の表面とが接着された着脱式ワッペンである。
【００１４】
また、表面に表示内容が表示された表示基布と、該表示基布の裏面に縫い付けられ、被係着物と係着する係着部と、フィルムと、不透明シートと、板状体とを含んで成り、前記表示基布の裏面と前記フィルムの表面とが熱可塑性樹脂を含む接着層を介して接着され、前記フィルムの裏面と前記不透明シートの表面とが接着され、前記不透明シートの裏面と前記板状体の表面とが接着された着脱式ワッペンである。
【００１５】
更に、表面に表示内容が表示された表示基布と、フィルムと、不透明シートと、板状体と、該板状体の裏面に設けられ、被係着物と係着する係着具とを含んでなり、前記表示基布の裏面と前記フィルムの表面とが熱可塑性樹脂を含む接着層を介して接着され、前記フィルムの裏面と前記不透明シートの表面とが接着され、前記不透明シートの裏面と前記板状体の表面とが接着された着脱式ワッペンである。
【００１６】
また、かかる着脱式ワッペンにおいて、前記板状体の裏面には、前記係着具が更に設けられ得る。
【００１７】
また、かかる着脱式ワッペンにおいて、前記表示基布の表面には、表示内容が刺繍により表示され得る。
【００１８】
また、本発明の他の要旨とするところは、かかる着脱式ワッペンの製造方法であって、表面に表示内容が表示された表示基布の裏面に、表面に熱可塑性樹脂を含む接着剤が塗布されたフィルムの表面を面接させ、該フィルムを加熱融着させる工程と、該フィルムの裏面に板状体を接着剤を介して貼着する工程とを含む。
【００１９】
更に、本発明の他の要旨とするところは、かかる着脱式ワッペンにおいて、表面に表示内容が表示された表示基布の裏面に、熱可塑性樹脂を含む接着剤が塗布されたフィルムの表面を面接させ、該フィルムを加熱融着させる工程と、該フィルムの裏面に不透明シートの表面を相対させて該不透明シートを貼着する工程と、該不透明シートの裏面に板状体を接着剤を介して貼着する工程とを含む。
【発明の効果】
【００２０】
本発明の着脱式ワッペンは、表示基布の裏側に接着される板状体に係着具や貫通孔を備える突出部を設ける、或いは表示基布の裏面に係着部を縫い付けることによって、衣服等の被係着物の所定の箇所に容易に係着を行うことができ、従来のワッペンのように縫い付け又はアイロン等による加熱融着をする必要がない。よって、別の箇所へのワッペンの付け替えが容易に行えると共に、衣服等を洗濯する際にはワッペンを取り外すことによって、表示基布が傷むことを防止できる。特に、表示基布に刺繍が施されている場合には、洗濯による刺繍糸のほつれ等を防止することができ、ワッペンの製品寿命を向上させる効果がある。
【００２１】
また、本発明の着脱式ワッペンは、フィルムの裏面に接着剤によって板状体が接着されているが、表示基布の裏面と板状体の表面の間にフィルムを介在させることによって、板状体を接着するための接着剤が表示基布の表面に滲み出る恐れがなく、刺繍面に接着剤による染みの発生を防止することが出来る。更に、板状体を接着することによって、布製の表示基布が反りを生じることもない。
【００２２】
また、フィルムの裏面と板状体との間に不透明シートを介在させることによって、表示基布を貫通した刺繍糸を裏側からは見えないように隠すことができ、その結果、商品価値が高まることとなる。更に、不透明シートに化学繊維を含む布地を適用することにより、ヒートカットの際に切断部の仕上がりが滑らかとなり、改めて切断面の処理を行う必要がなく、製造効率の向上に繋がる。更にまた、厚手の不透明シートを適用することによって、表示基布の裏面に生じた刺繍糸による凹凸を緩和することができ、不透明シートの裏面と板状体の表面の接着面積をより多く確保することが可能となる。
【００２３】
一方、本発明に係る表示基布と板状体を両面接着テープで接着することにより、着脱式ワッペンの製造を非常に簡単に行うことができ、製造効率の向上を図ることが出来る。また、接着剤を使用することがないため、表示基布の表面に接着剤が滲み出るという問題もなく、接着剤による染みの発生を防止出来る。
【００２４】
更に、本発明の着脱式ワッペンにおいて、突出部或いは係着部と、係着具を併用することによって、衣服や鞄等の被係着物に応じて係着方法を適宜選択することが出来る。
【００２５】
また、、本発明の着脱式ワッペンにおいて、表示基布の表面に刺繍によって氏名等の表示内容を表現することにより、従来のプラスチック等からなるネームプレート等にはない、刺繍製品独特の美しさや味わいを兼ね備えたワッペンとなる。
【発明を実施するための最良の形態】
【００２６】
以下、本発明の態様を図面に基づいて説明するが、本発明の態様は以下に示したものに限定されない。なお、本明細書において、各図にわたって記される同じ符号は、同一又は同様の部材やものを示す。
【００２７】
図１に本発明の着脱式ワッペンの一例を示す。着脱式ワッペン２の表示基布４の表面には、氏名や名称、所属、シンボルマーク等の表示内容が刺繍により表示されている（同図（ａ））。なお、図１（ｂ）には、着脱式ワッペン２の背面図を示す。
【００２８】
図２には、図１（ａ）に示した着脱式ワッペン２のＴ−Ｔ’部における断面図を示す。表示基布４の裏面には、フィルム１２が熱可塑性樹脂を含む接着層１０を介して加熱融着される。接着層１０に使用する接着剤は熱可塑性樹脂を含むため、加熱することによって接着剤が溶解し、表示基布４の裏面にフィルム１２を融着することが可能となる。具体的には、本発明で使用したフィルム１２の表面には、あらかじめホットメルト接着剤が塗布されており、フィルム１２の裏面からアイロン等により加熱することによって、フィルム１２を表示基布４の裏面に融着することができる。なお、ホットメルト接着剤の種類としては、ＥＶＡ（エチレン・ビニルアセテート）系、ポリエステル系等が挙げられるが、特に限定されるものではない。また、フィルム１２の材質もナイロン、ポリエステル等、種々の材質のものを適用可能である。更に、本発明で使用したフィルム１２の厚さは１００ミクロンであるが、厚さに関しても特に限定されるものではない。
【００２９】
また、フィルム１２の裏面には、接着剤１４を介して板状体６が接着されている。接着剤１４としては、板状体６の材質に応じて、フィルム１２と板状体６を接着可能なもの、例えば、エポキシ樹脂系、アクリル系、ポリウレタン系、シリコン系、ゴム系等の接着剤を適宜選択して使用する。なお、板状体６の材質としては、プラスチック、アクリル、塩化ビニール、ウレタン等の合成樹脂、アルミ、ステンレス、銅、スズ、形状記憶合金等の金属、形状記憶生地、破水生地、不織布、プリント生地、シルク印刷生地、木、合板、セラミックス等、あらゆるものが適用でき、特に限定されるものではない。
【００３０】
このように、板状体６は表示基布４に直接貼着するのではなく、フィルム１２を介して貼着される。表示基布４には、上記のように刺繍が施されているため刺繍糸９が貫通しており、表示基布４の裏面に接着剤１４を直接塗布して板状体６を貼着した場合には、接着剤１４が表示基布４の表面に滲み出て、刺繍面に染みができる恐れがある。特に、表示基布４の表面が濡れた場合には、接着剤１４による染みが顕著となる。つまり、フィルム１２には、接着剤１４が表示基布４の表面に滲み出ることを防止する効果がある。
【００３１】
更に、板状体６の裏面には、衣服等の被係着物に容易に係着可能とする係着具８が設けられている。係着具８には公知のあらゆる係着具が適用可能であり、図１（ｂ）に示したような安全ピン付きクリップ（係着具８）に限定されるものではなく、例えば、安全ピン又はクリップのみからなる係着具、面ファスナ等であってもよい。
【００３２】
以上の各構成要素からなる着脱式ワッペン２は、被係着物への縫い付けや貼着をする必要が無く、容易に着脱を行うことができる。また、板状体６はフィルム１２に接着剤１４で貼着されているため、接着剤１４が表示基布４の表面に滲み出る恐れがなく、刺繍面に接着剤１４による染みができることを防止できる。
【００３３】
以上、着脱式ワッペン２の態様及びその製造方法について詳述したが、本発明の態様は上記のものに限定されず、例えば図３に示すように、フィルム１２の裏面と板状体６の間に不透明シート１８を介在させた着脱式ワッペン２ａのような態様であってもよい。
【００３４】
不透明シート１８は、フィルム１２の裏面に接着層１６を介して接着され、不透明シート１８の裏面には接着剤１４によって板状体６が貼着される。不透明シート１８は、表示基布４の裏面に貫通した刺繍糸９を隠す場合に効果的である。つまり、フィルム１２が不透明のものであれば問題はないが通常は透明であり、板状体６に透明のプラスチック板を適用した場合に、不透明シート１８を介在させることによって、着脱式ワッペン２の裏側から表示基布４を貫通した刺繍糸９が見えなくなり、その結果として着脱式ワッペン２の商品価値が高まる。なお、接着層１６に使用される接着剤は、不透明シート１８の素材に応じて、フィルム１２と不透明シート１８を接着可能な接着剤が適宜選択され、使用される。
【００３５】
ここで、不透明シート１８には通常、不織布等が用いられるが、特に化学繊維を含む布地を適用した場合には、表示基布４の裏面にフィルム１２及び不透明シート１８を接着後、表示基布４の外形に沿ってヒートカットを行った際に、布地の切断部が熱によって一旦溶かされ、その後固化することによって切断面は滑らかな仕上がりとなり、別途切断面の処理を行う必要がないため製造効率が高まる。
【００３６】
また、不透明シート１８に厚手の不織布を適用した場合には、表示基布４の裏面に生じた刺繍糸９による凹凸を緩和することができ、不透明シート１８の裏面に板状体６を接着する際、接着面積をより多く確保することが可能となる。
【００３７】
以上、本発明の着脱式ワッペン２ａ及びその製造方法について詳述したが、本発明の態様は上記のものに限定されない。
【００３８】
例えば、本発明の着脱式ワッペン２、２ａに係る係着具８は、板状体６の裏面に貼着された状態で設けられているが、図４（ａ）（ｂ）に示す板状体６ａ、６ｂのように、板状体６ａ、６ｂの少なくとも一部（同図中では上部）に、貫通孔２０を備える突出部２２が形成された態様であってもよい。この貫通孔２０には、紐やベルト等の線状物２４が通されることとなり、板状体６ａ、６ｂを備える着脱式ワッペン２ｂ、２ｃを衣服、鞄等の被係着物へ係着する際には、線状物２４を被係着物へ引っ掛ける、或いは線状物２４を通すことによって簡単に行うことが出来るとともに、被係着物から着脱式ワッペン２ｂ、２ｃを外す際も、表示基布４を傷つけることなく簡単に外すことが出来る。また、同図（ｃ）に示す板状体６ｃのように、板状体６ｃの両側に貫通孔２０を備える突出部２２が形成され、ゴムバンド等の線状物２４を通した態様であってもよい。この時、板状体６ｃが可撓性を有する材質から成る場合には、着脱式ワッペン２ｄを腕章として使用することも可能である。
【００３９】
更に別の態様として、図５に示すように、表示基布４の裏面に、被係着物と係着するための係着部２６が直接縫い付けられ、その後にフィルム１２や不透明シート１８を介して板状体６が接着された着脱式ワッペン２ｄのような態様であってもよい。係着部２６としては幅広の紐が好適に使用され得るが、特に限定されるものではない。この係着部２６を表示基布４に縫い付ける方法としては、表示基布４の表面に刺繍によって表示内容を表示する際に、表示基布４を貫通する刺繍用の糸で係着部２６を同時に縫い付ける方法が、非常に効率的である。また、刺繍とは別の工程で係着部２６を縫い付けてもよいが、この工程で使用される糸が表示基布４の表面に貫通する恐れもあるため、前述の方法を適用することが表示基布４の表面の仕上がりを非常に綺麗にする点でも好ましい。
【００４０】
以上、本発明の着脱式ワッペンについて、表示基布４と板状体６の間にフィルム１２、或いはフィルム１２と不透明シート１８とを介在させた上で板状体６、６ａ等を接着した態様について詳述したが、本発明の態様はこれらに限定されない。
【００４１】
例えば、表示基布４と板状体６、６ａ等が両面接着テープによって接着された着脱式ワッペンであってもよい。両面接着テープを適用することにより、着脱式ワッペン２等における接着剤１４が表示基布４の表面に滲み出るという問題がなく、着脱式ワッペンの製造も非常に簡単に行うことができ、製造効率の向上を図ることが出来る。
【００４２】
また、本発明の他の態様として、図４及び図５に示す着脱式ワッペン２ｂ等における板状体６ａ等の裏面には、上述した安全ピン付きクリップ等の係着具８が更に設けられてもよい。つまり、突出部２２や係着部２６と、係着具８とを併用することによって、衣服や鞄等の被係着物に応じて係着方法を適宜選択することができ、被係着物に応じた最適な方法で着脱式ワッペンを係着することが可能となる。
【００４３】
以上、本発明の着脱式ワッペン及びその製造方法について詳述したが、本発明はその主旨を逸脱しない範囲で、当業者の知識に基づき種々の改良、修正、変形を加えた態様で実施し得るものであり、例えば、表示基布４の表面に氏名や名称、所属、シンボルマーク等を表示する手段は刺繍に限定されるものではない。
【００４４】
また、表示基布４は、織布や不織布の裏面に紙等からなるシートがあらかじめ貼着された布地であってもよく、これらの態様はいずれも本発明の範囲に属するものである。。
【図面の簡単な説明】
【００４５】
【図１】本発明の着脱式ワッペンの一例であり、（ａ）は正面図、（ｂ）は背面図である。
【図２】図１（ａ）に示した着脱式ワッペンのＴ−Ｔ’部断面図である。
【図３】本発明の着脱式ワッペンの他の態様を示す断面図である。
【図４】（ａ）〜（ｃ）は、本発明の着脱式ワッペンの他の態様を示す背面図である。
【図５】本発明の着脱式ワッペンの更に他の態様を示す正面図である。
【符号の説明】
【００４６】
２、２ａ〜２ｄ：着脱式ワッペン
４：表示基布
６、６ａ〜６ｃ：板状体
８：係着具
１０：熱可塑性樹脂を含む接着層
１２：フィルム
１４：接着剤
１６：接着層
１８：不透明シート
２０：貫通孔
２２：突出部
２４：線状物
２６：係着部
【図１】
2004216884.tif 000003
【図２】
2004216884.tif 000004
【図３】
2004216884.tif 000005
【図４】
2004216884.tif 000006
【図５】
2004216884.tif 000007